(57)【要約】【課題】  分光分析用の量子ドットを生物医学的装置内に組み込むための装置及び方法を提供する。【解決手段】  いくつかの例では、量子ドットは、発光体、光フィルタ、又は検体に特有の色素として機能する。いくつかの例では、本装置及び方法の使用分野には、分光分析から利益を得る任意の生物医学的装置又は製品が含まれていても良い。【選択図】  図１Ａ
2017060767.tif 000002
【特許請求の範囲】
【請求項１】
生物医学的装置であって、
第１及び第２の集電体、カソード、アノード、及び電解質を含む通電素子と、
量子ドット分光計であって、量子ドット発光体、光検出器、及び情報を前記量子ドット分光計からユーザに伝達する手段を含み、前記通電素子によって電源供給されている、量子ドット分光計と、
挿入装置であって、前記通電素子及び前記量子ドット分光計を収容し、前記通電素子を前記生物医学的装置が動作する生物医学的環境から隔離する、挿入装置と、を含む生物医学的装置。
【請求項２】
マイクロ流体ポンプを更に含み、前記マイクロ流体ポンプが、流体の試料を、分析用に前記量子ドット分光計の方へ運ぶか又はこれから離して運ぶ働きをする、請求項１に記載の生物医学的装置。
【請求項３】
前記生物医学的装置は眼用デバイスである、請求項１に記載の生物医学的装置。
【請求項４】
前記生物医学的装置はコンタクトレンズである、請求項１に記載の生物医学的装置。
【請求項５】
前記生物医学的装置は電子ピルである、請求項１に記載の生物医学的装置。
【請求項６】
検体を分析する方法であって、
量子ドット発光体を生物医学的装置上に製造することと、
光検出器を前記生物医学的装置上に製造することと、
前記量子ドット発光体及び前記光検出器を前記生物医学的装置内の集積回路コントローラに接続することであって、前記集積回路コントローラは前記量子ドット発光体及び前記光検出器の機能性を方向付けることができる、接続することと、
狭波長帯域を前記量子ドット発光体から発することと、
送信された光子を前記光検出器内に受信することと、
検体の吸光度を受信した光子の強度に基づいて分析することと、を含み、
前記生物医学的装置は、第１及び第２の集電体、カソード、アノード、及び電解質を含む通電素子を含み、
前記量子ドット発光体は前記通電素子によって電源供給される、方法。
【請求項７】
検体の試料を量子ドット分光計チャネル内に、前記検体を分析する前にポンピングすることを更に含む、請求項６に記載の方法。
【請求項８】
前記生物医学的装置はコンタクトレンズである、請求項６に記載の方法。
【請求項９】
前記生物医学的装置は電子ピルである、請求項６に記載の方法。
【請求項１０】
生物医学的装置であって、
通電素子と、
外部カプセル化境界であって、前記境界の少なくとも一部はくぼみ型空洞部を形成し、前記空洞部の側壁は、選択されたスペクトル帯の光が通過することを可能にする、外部カプセル化境界と、
前記空洞部の前記側壁の一方の側を通して、前記空洞部の介在スペースを通して、前記空洞部の前記側壁の遠位側を通して、発光するように取り付けられた量子ドット発光体と、
前記外部カプセル化境界内の前記空洞部の前記遠位側上に取り付けられた光検出器と、
無線周波数送受信装置と、
アナログデジタル変換器であって、前記光検出器からの信号がデジタルデータ値に変換され、前記デジタルデータ値は前記生物医学的装置の外部に前記無線周波数送受信装置によって送信される、アナログデジタル変換器と、を含む生物医学的装置。
【請求項１１】
前記装置はコンタクトレンズである、請求項１０に記載の生物医学的装置。
【請求項１２】
前記装置は電子ピルである、請求項１０に記載の生物医学的装置。
【請求項１３】
前記電子ピルは、前記光検出器において受信された前記信号に基づいて薬剤を放出するように制御可能な放出メカニズムを含む、請求項１２に記載の生物医学的装置。
【請求項１４】
前記光検出器において受信された前記信号はデジタル信号に変換されて外部受信器に伝達され、前記外部受信器においてアルゴリズムが検体の濃度を計算して薬剤の放出のための時間値を決定する、請求項１３に記載の生物医学的装置。
【請求項１５】
前記電子ピルは、量子ドット色素を前記空洞部内に放出するように制御可能な放出メカニズムを含み、前記色素は検体分子と反応して、前記量子発光体が前記量子ドット色素を励起させて発光させることを可能にする、請求項１２に記載の生物医学的装置。
【請求項１６】
生物医学的装置であって、
通電素子と、
外部カプセル化境界であって、前記境界の少なくとも一部は、流体試料が外部領域から前記生物医学的装置内に進むことを可能にする働きをする電気的に制御された孔を含む、外部カプセル化境界と、
前記流体試料を検体に特有の色素を含む試薬と混合する働きをするマイクロ流体処理チップと、
前記マイクロ流体処理チップの一部を通して発光するように取り付けられた量子ドット発光体と、
前記マイクロ流体処理チップの、前記量子ドット発光体から遠位側に取り付けられた光検出器であって、前記量子ドット発光体が発した光は、前記マイクロ流体処理チップの上面を通って、前記マイクロ流体処理チップの試料分析領域を通って、前記マイクロ流体処理チップの底面を通って、前記光検出器内に進む、光検出器と、
無線周波数送受信装置と、
アナログデジタル変換器であって、前記光検出器からの信号がデジタルデータ値に変換され、前記デジタルデータ値は前記生物医学的装置の外部に前記無線周波数送受信装置によって送信される、アナログデジタル変換器と、を含む生物医学的装置。
【請求項１７】
前記装置はコンタクトレンズである、請求項１６に記載の生物医学的装置。
【請求項１８】
前記装置は電子ピルである、請求項１６に記載の生物医学的装置。
【請求項１９】
前記電子ピルは、前記光検出器において受信された前記信号に基づいて薬剤を放出するように制御可能な放出メカニズムを含む、請求項１８に記載の生物医学的装置。
【請求項２０】
前記電子ピルは、量子ドット色素を前記マイクロ流体処理チップ内に放出するように制御可能な放出メカニズムを含み、前記色素は検体分子と反応して、前記量子発光体が前記量子ドット色素を励起させて強度が前記検体分子の濃度に関連付けられた光を発することを可能にする、請求項１８に記載の生物医学的装置。
【発明の詳細な説明】
【技術分野】
【０００１】
生物医学的装置内で用いる量子ドット分光計について本明細書で説明する。いくつかの典型的な実施形態では、本装置の機能は、生体情報を収集して装置のユーザに対する個別の生体分析を行なうことを伴っている。
【背景技術】
【０００２】
近年、医療用装置の数及びその機能が急速に発達し始めている。こうした医療用装置としては、例えば、埋め込み型ペースメーカー、生物学的機能のモニタリング及び／又は検査を行うための電子ピル、能動部品を備える外科用装置、コンタクトレンズ、輸液ポンプ、及び神経刺激装置を挙げることができる。これらの装置は多くの場合に、生物及び化学システムにさらされてこれらと相互作用するため、装置は、生体データを収集し、記憶し、及び分配するのに最適なツールとなる。
【０００３】
一部の医療機器は、生体収集を含む種々の機能を行なう構成部品、例えば半導体デバイスを含んでいる場合があり、生体適合性があり及び／又は埋め込み可能な多くの装置に組み込まれる場合がある。このような半導体部品はエネルギーを必要とするため、通電素子もこのような生体適合性装置に含めなければならない。生体情報を収集することができる生物医学的装置内に自給エネルギーを加えると、装置は、装置のユーザに対する個別の生体分析を行なうことが可能になる。
【０００４】
生体情報収集の一態様では、検体を対応する酵素に対して組にする（例えば、流体媒体中のグルコースを検出するためにグルコースをグルコースオキシダーゼに対して組にする）能力に焦点を合わせている。生体情報収集の別の態様では、光を用いることに焦点を合わせている場合がある。ここでは、光源が媒体を通して光を照らして、その光は次に検出器によって集められて、吸収光の量に対して分析される。これは分光計と同様である。分光計は、物理的、化学的、及び生物学的研究において広く用いられている。しかし、現在のマイクロ分光計デザインでは大抵、干渉フィルタ及び干渉オプティクスを用いており、これらによって、その光子効率、分解能、及びスペクトル領域が制限されている。それにもかかわらず、分光分析データの取得をサポートするときに量子ドットを用いる技術及び試薬の開発によって可能となる小型化によって、生物医学的装置がその環境の化学状態を検知する能力が著しく進歩することが可能となる場合がある。
【発明の概要】
【発明が解決しようとする課題】
【０００５】
量子ドット（ＱＤ）は、一般的に半導体材料で作られるナノ結晶である。結晶が「ナノサイズである」ならば、量子力学的特性を示すほどに十分に小さくなっている。ＱＤに関する技術では、この量子力学的な挙動を利用して、興味深い光学特性をＱＤに対して得ている。したがって、量子ドット及び量子ドット分光分析で用いる生物医学的な目的に対する新規な装置が有用である場合がある。
【課題を解決するための手段】
【０００６】
したがって、ＱＤを、光源、フィルタ、色素として、また電源供給された生物医学的装置上又は内の狭帯域及び広帯域分光計として用いるための装置及び方法によって、電源供給された生物医学的装置がユーザの身体上又は内の検体を具体的及び正確に検出することが可能になる場合がある。量子ドットは、高レベルの粘度及び純度を用いて製造することができる極めて小さい存在である。量子ドット製造プロセスを異なるサイズ及び材料に合わせて調整し得るため、ほぼ任意の量の周波数をあるタイプのＱＤからのスペクトル応答に対して調整し得る。したがって、光源として、細線蛍光源をＱＤの励起から形成して、結果として高収率の蛍光発光が得られる場合がある。ＱＤをフィルタとして用いるために、チューナブル送信応答を得ても良い。したがって、何百もの固有の調整されたスペクトルフィルタを含む分光計を形成して、広帯域分光法の視点を形成することが容易な場合がある。更にまたＱＤのスペクトル妥当性が、個々のＱＤが、表面に結合してその蛍光を消光させる分子を有する場合があるという事実から生じる場合がある。これらの消光分子を、検体に結合するように選択及び設計しても良く、その際、分子が消光しているＱＤから分離しても良い。その結果、検体調査に対して敏感な蛍光プローブが得られる。
【０００７】
１つの全般的態様には、第１及び第２の集電体、カソード、アノード、及び電解質を含む通電素子を含む生物医学的装置を形成することが含まれる。生物医学的装置はまた、量子ドット分光計を含んでいても良い。量子ドット分光計は、量子ドット発光体、光検出器、及び量子ドット分光計からの情報をユーザに伝達する手段を含んでいても良い。量子ドット分光計は通電素子によって電源供給される。生物医学的装置はまた、挿入装置を含んでいても良い。この挿入装置は、通電素子及び量子ドット分光計を含んでいても良い。挿入装置によって、通電素子を、この生物医学的装置が動作する生物医学的環境から隔離するカプセル化が形成される。
【０００８】
生物医学的装置は更に、マイクロ流体ポンプを含んでいても良い。マイクロ流体ポンプは、流体の試料を量子ドット分光計の方へ運ぶか又はこれから離して運ぶ働きを、分光計を分析用に用いたときに行なう。いくつかの例では、生物医学的装置は眼用デバイスであっても良い。いくつかの例では、生物医学的装置はコンタクトレンズであっても良い。いくつかの例では、生物医学的装置は電子ピルであっても良い。
【０００９】
実施には、検体を分析する方法が含まれていても良い。本方法は、量子ドット発光体を生物医学的装置内に製造することを含んでいても良い。また、光検出器が生物医学的装置内に含まれていても良い。本方法は、量子ドット発光体及び光検出器を集積回路コントローラに接続することを含んでいても良く、このコントローラは、量子ドット発光体及び光検出器の機能を方向付けることが可能であっても良い。本方法は更に、量子ドット発光体から狭波長帯域を放出することを含んでいても良い。本方法は、送信された光子を光検出器内に受信することを含んでいても良い。いくつかの実施において、本方法は、受信した光子の強度に基づいて検体の吸光度を分析することを続けても良い。生物医学的装置は通電素子を含んでいても良く、通電素子は第１及び第２の集電体、カソード、アノード、及び電解質を含んでいても良く、分光計は通電素子によって電源供給される。本方法は更に、検体の試料を量子ドット分光計チャネル内に、検体を分析する前にポンピングすることを含んでいても良い。いくつかの実施では、本方法は生物医学的装置がコンタクトレンズである例を伴っていても良い。本方法はまた、生物医学的装置が電子ピルである例を伴っていても良い。
【００１０】
１つの全般的態様は、通電素子を含む生物医学的装置を含む。生物医学的装置は、外部カプセル化境界を含んでいても良い。外部カプセル化境界は、くぼみ型空洞部を含んでいても良い。くぼみ型空洞部は、生物医学的装置によって概ね囲まれていても良い外部領域を形成する一方で、流体が生物医学的装置の環境内に又は環境から流れることを可能にしている。生物医学的装置のカプセル化層は、重要なスペクトル帯の光が通過することを可能にしても良い。凹部チャネルを光子発光体及び検出器によって線引きしても良い。
【００１１】
いくつかの実施では、生物医学的装置は、空洞部の側壁の一方の側を通して空洞部の介在スペースを通して発光するように取り付けられた量子ドット発光体を含んでいても良い。光は空洞部の側壁の反対側又は遠位側を通って更に進んでも良い。他方の側では、多数の光検出器が外部カプセル化境界内に取り付けられていても良い。生物医学的装置はまた、無線周波数送受信装置及びアナログデジタル変換器を含んでいても良い。光検出器からの信号をアナログデジタル変換器によってデータ値に変換しても良く、このデータ値を無線周波数送受信装置によって送信しても良い。いくつかの例では、生物医学的装置はコンタクトレンズ又は電子ピルであっても良い。電子ピルの例では、ピルはまた、薬剤を放出するように制御可能な放出メカニズムを含んでいても良い。検出器は、装置に対するフィードバックループを形成しても良く、したがってピルによって分散される薬剤の量を調整しても良い。
【００１２】
ＱＤ分光計を含む生物医学的装置のいくつかの例では、光検出器において受信された信号をデジタル信号に変換して、外部受信器に伝達しても良い。この外部受信器は、検体の濃度を計算し、そして所望の薬剤の付随的放出を決定するアルゴリズムを実行しても良いプロセッサを含んでいても良い。外部受信器は、データ及び制御信号を生物医学的装置に送信しても良い。
【００１３】
実施には、通電素子を含む生物医学的装置が含まれていても良い。生物医学的装置はまた、外部カプセル化境界を含んでいても良く、境界の少なくとも一部に電気的に制御された孔が含まれる。孔は、流体試料が外部領域から生物医学的装置内に進むことを可能にする働きをしても良い。生物医学的装置はまた、流体試料と試薬とを混合しても良いマイクロ流体処理チップを含んでいても良い。マイクロ流体処理チップ内の試薬は検体に特有の色素を含んでいても良い。生物医学的装置は、マイクロ流体処理チップの一部を通して発光しても良い量子ドット発光体を含んでいても良い。装置はまた、マイクロ流体処理チップの遠位位置に取り付けられた光検出器を含んでいても良い。装置はまた、無線周波数送受信装置を含んでいても良い。実施にはまた、光検出器からの信号をデジタルデータ値に変換して、これを無線周波数送受信装置によって生物医学的装置の外部に送信しても良いアナログデジタル変換器が含まれていても良い。これらの例には、コンタクトレンズ、電子ピル、及び光検出器において受信された信号に基づいて薬剤を放出することができる電子ピルである生物医学的装置が含まれていても良い。
【００１４】
１つの全般的態様には、電子ピルとしての生物医学的装置が含まれる。電子ピルは、量子ドット色素を空洞部内に放出するように制御可能な放出メカニズムを含み、色素は検体分子と反応して、量子発光体が量子ドット色素を励起して発光させることを可能にする。生物医学的装置はまた、通電素子と、外部カプセル化境界であって、境界の少なくとも一部は、流体試料が外部領域から生物医学的装置内に進むことを可能にする働きをする電気的に制御された孔を含む、外部カプセル化境界と、流体試料を、検体に特有の色素を含む試薬と混合する働きをするマイクロ流体処理チップと、マイクロ流体処理チップの一部を通して発光するように取り付けられた量子ドット発光体と、マイクロ流体処理チップの、量子ドット発光体から遠位側に取り付けられた光検出器であって、量子ドット発光体が発した光は、マイクロ流体処理チップの上面を通って、マイクロ流体処理チップの試料分析領域を通って、マイクロ流体処理チップの底面を通って、光検出器内に進む、光検出器と、無線周波数送受信装置と、光検出器からの信号がデジタルデータ値に変換されて送信されるアナログデジタル変換器と、を含んでいる。電子ピルは薬剤のその放出を制御しても良い。薬剤の放出は、変換されたデジタルデータ値の受信に応じて作動するコントローラによって調整しても良い。
【００１５】
いくつかの例では、生物医学的装置は、量子ドット色素をマイクロ流体処理チップ内に放出するように制御可能な部分を含んでいても良い。色素は検体分子と反応しても良く、反応は、量子ドット発光体が、量子ドットからの特性発光を消す場合がある消光分子が存在しない状態で量子ドットを励起することを可能にする場合がある。
【図面の簡単な説明】
【００１６】
本発明の上記の、並びに他の特徴及び利点は、添付の図面に図示するように、以下のより具体的な本発明の好ましい実施形態の記載から明らかになるであろう。
【図１Ａ】生体適合性通電素子の典型的な態様をコンタクトレンズの典型的な応用例と共に示す図である。
【図１Ｂ】生体適合性通電素子の典型的な態様をコンタクトレンズの典型的な応用例と共に示す図である。
【図２】スペクトル帯を量子ドットベースのフィルタを用いてどのように分析し得るかを示す図である。
【図３】本発明のいくつかの実施形態を実施するために使用され得るプロセッサを示す図である。
【図４】量子ドット分光計に関する生物医学的装置の典型的な機能的構造モデルを示す図である。
【図５】典型的な量子ドット分光計装置を示す図である。
【図６Ａ】典型的なマルチピースの環形状インサートの平面図を示す図である。
【図６Ｂ】図６Ａの典型的なマルチピースの環形状インサートの第１の拡大された部分断面図を示す図である。
【図６Ｃ】図６Ａの典型的なマルチピースの環形状インサートの第２の拡大された部分断面図を示す図である。
【図７】量子ドット分光計システムとともに典型的なポンピングメカニズム並びにサンプリング領域及び制御部品の拡大平面部分断面図を示す図である。
【図８】流体試料がマイクロ流体分析構成部品を通って流れている典型的な量子ドット分光計システムの平面部分断面図を示す図である。
【図９】廃棄物貯蔵要素を有する典型的な量子ドット分光計システム構成部品の平面断面図を示す図である。
【図１０】ラボオンチップ部品用いた量子ドット分光計システムの典型的なポンピングメカニズムの平面断面図を示す図である。
【図１１Ａ】生物医学的装置内の典型的な量子ドット分光計を示す図である。
【図１１Ｂ】生物医学的装置内の典型的な量子ドット分光計を示す図である。
【図１１Ｃ】生物医学的装置内の典型的な量子ドット分光計を示す図である。
【図１２】典型的な量子ドットベースの蛍光色素を示す図である。
【図１３】量子ドットベースの分光法による試料検体検出の典型的なフロー図を示す図である。
【図１４】本開示の態様による眼用レンズを装着しているユーザの検体レベルをモニタするために用いても良い例示的な方法ステップを示す図である。
【図１５】本開示の態様による眼用レンズを装着しているユーザの、グルコースのレベルを処理するために用いることができる例示的な方法のステップを示す図。
【発明を実施するための形態】
【００１７】
生物医学的装置内で用いても良い、量子ドットを光源、フィルタ、及び色素として用いる分光法について、本出願では開示している。以下の各項において、様々な実施例の詳細な説明が記載される。説明は例示的な実施形態のみであり、種々の修正及び変更は当業者にとって明らかであり得る。したがって、実施例は、本出願の範囲を制限するものではない。生物医学的装置内で用いる量子ドットベースの分光計、及びそれを収容する構造は、眼用レンズ及び電子ピルなどの装置内で用いるように設計されても良い。いくつかの例では、生物医学的装置内で用いる量子ドットを用いる分光法は、生物の身体内で又はそれに隣接して用いるように設計されても良い。
【００１８】
用語集
本説明及び以下の特許請求の範囲において、以下の定義が適用される様々な用語が使用され得る。
【００１９】
本明細書で使用するとき、「アノード」は、電極を指し、電流は、この電極を通って有極電気装置に流れ込む。電流の方向は、典型的に、電子流の方向とは逆である。換言すれば、電子は、アノードから、例えば、電気回路に流入する。
【００２０】
本明細書で使用するとき、「結合剤」は、機械的変形に対する弾性応答を呈することができ、他の通電素子部品と化学的に適合するポリマーを指す。例えば、結合剤としては、電気活性物質、電解質、ポリマーなどを挙げることができる。
【００２１】
本明細書で使用するとき、「生体適合性」は、特定の用途において適切な宿主応答で機能する材料又はデバイスを指す。例えば、生体適合性装置は、生体系に毒性又は有害な影響を及ぼさない。
【００２２】
本明細書で使用するとき、「カソード」は、電極を指し、電流は、この電極を通って有極電気装置から流れ出る。電流の方向は、典型的に、電子流の方向とは逆である。したがって、電子は有極電気装置のカソードに流入し、例えば、接続された電気回路から流出する。
【００２３】
本明細書で使用するとき、「被覆（コーティング）」は、材料の薄型堆積物を指す。いくつかの用途では、この用語は、堆積物が形成される基板の表面を実質的に被覆する、薄型堆積物を指す。他のより特定の用途では、この用語は、表面のより小さい領域内にある小さい薄型堆積物を説明するために使用されてよい。
【００２４】
本明細書で使用するとき、「電極」は、エネルギー源内の活物質を指し得る。例えば、電極は、アノード及びカソードの一方又は両方を含んでもよい。
【００２５】
本明細書で使用するとき、「通電された」とは、電流を供給することができるか、又は内部に蓄積された電気的エネルギーを有することができる状態を指す。
【００２６】
本明細書で使用するとき、「エネルギー」は、ある物理系が仕事をする能力を指す。通電素子の多くの用途は、電気的作用を実行できる能力に関連するものであってよい。
【００２７】
本明細書で使用するとき、「エネルギー源」又は「通電素子」又は「通電装置」は、エネルギーを供給できるか、論理装置又は電気装置を通電された状態にすることができる、任意の装置又は層を指す。通電素子は、電池を含み得る。電池は、アルカリ型セル化学物質で形成されてよく、固体電池又は湿電池であってよい。
【００２８】
本明細書で使用するとき、「充填剤」は、酸性電解質又はアルカリ性電解質のいずれとも反応しない、１つ又は複数の通電素子用セパレータを指す。一般的に、充填剤としては、実質的に水不溶性の材料、例えばカーボンブラック；炭塵；黒鉛；金属酸化物及び水酸化物、例えばシリコン、アルミニウム、カルシウム、マグネシウム、バリウム、チタン、鉄、亜鉛、及びスズの酸化物及び水酸化物；金属炭酸塩、例えばカルシウム及びマグネシウムの炭酸塩；鉱物、例えばマイカ、モンモロロナイト、カオリナイト、アタパルジャイト、及びタルク；合成及び天然のゼオライト、例えばポルトランドセメント；沈殿した金属ケイ酸塩、例えばケイ酸カルシウム；中空又は中実のポリマー又はガラス微小球、フレーク及びファイバ；などを挙げることができる。
【００２９】
本明細書で使用するとき、「機能化」は、例えば、通電、起動、又は制御などの機能を、層又は装置が実行できるようにすることを指す。
【００３０】
本明細書において使用するとき、「イオン化塩」は、溶液中に溶解したイオンを生成するために、溶媒内に溶解する、イオン性固体を指す。いくつかの実施例において、溶媒は水を含み得る。
【００３１】
本明細書で使用するとき、「成形型」は、未硬化配合物から三次元の物体を形成するために使用され得る、剛性又は半剛性の物体を指す。いくつかの例示的な成形型は、互いに対向すると、三次元の物体の構造を画定する２つの成形型部分を含む。
【００３２】
本明細書で使用するとき、「電力」は、単位時間当たりに行われる仕事、又は移送されるエネルギーを指す。
【００３３】
本明細書で使用するとき、「再充電可能」又は「再通電可能」は、仕事をするためのより高い能力を有する状態へと復元される能力を指す。多くの使用は、特定の再度確立された期間にわたって、特定の率で電流を流す能力を有して復元される能力に関連し得る。
【００３４】
本明細書で使用するとき、「再通電」又は「再充電」は、仕事をするためのより高い能力を有する状態へと復元することを指す。多くの使用は、特定の再度確立された時間にわたって、特定の率で電流を流す能力まで装置を復元することに関連し得る。
【００３５】
本明細書で使用するとき、「離型させる」（「成形型から離型させる」と言われることもある）は、三次元の物体が成形型から完全に分離した状態、又は穏やかな振動によって取り外すことができるように、ほんの軽く成形型に取り付けられている状態、のいずれかであることを意味する。
【００３６】
本明細書で使用するとき、「積層された」は、少なくとも２成分層を、層のうちの１層の１つの面の少なくとも一部分が、第２の層の第１の面と接触するように、互いに近接して配置することを意味する。いくつかの実施例では、接着のためであれ、又は他の機能のためであれ、コーティングが２つの層の間に存在し、これらの層はそのコーティングを通じて互いに接触している。
【００３７】
本明細書で使用するとき、「トレース」は、回路部品を接続できる通電素子部品を指す。例えば、回路トレースは、基板がプリント回路基板である場合、銅又は金を含むことができ、典型的には、フレックス回路内の銅、金、又は印刷された膜であり得る。特殊な種類の「トレース」は、集電体である。集電体は電気化学的適合性を有するトレースであり、この電気化学的適合性により、集電体は、電解質の存在下でアノード又はカソードとの間で電子を伝達する際に使用するのに適したものとなる。
【００３８】
本明細書に示される方法及び装置は、平面状又は三次元の生体適合性装置内又はその上に含めるための生体適合性通電素子を形成することに関する。特定の種類の通電素子は、層状に製造される電池であってよい。層は、積層として分類され得る。このようにして形成された電池は、薄層電池に分類され得る。
【００３９】
本開示による電池を組み立てて構成する方法には他の実施例が存在する場合があり、そのうちのいくつかを以下の項に記載することができる。しかしながら、これら実施例の多くに関して、独自のものとして説明することができる、電池の選択されたパラメータ及び特徴が存在する。以下の項では、いくつかの特徴及びパラメータに焦点が当てられる。
【００４０】
生物医学的装置（例えば、眼用レンズなど）における最近の開発によって、通電しても良い機能的な生物医学的装置が可能になっている。通電される生物医学的装置は、埋め込まれたマイクロエレクトロニクスを用いてユーザの検体を収集して分析するのに必要な要素を含んでいても良い。マイクロエレクトロニクスを用いる更なる機能は、例えば、ユーザに対する聴覚、視覚、及び触覚フィードバックを含んでいても良い。いくつかの実施形態では、生物医学的装置内で用いる量子ドット分光計は、１又は複数の無線デバイスと無線通信しても良く、異常な検体濃度及び関連する原因を決定するためにリアルタイムで用いても良い信号データを受信しても良い。無線デバイスとしては、例えば、スマートフォンデバイス、タブレット、パーソナルコンピュータ、ＦＯＢ、ＭＰ３プレーヤ、ＰＤＡ、及び他の同様の装置を挙げても良い。
【００４１】
通電された眼用デバイス
図１Ａを参照して、通電された眼用デバイス用の媒体インサート１００の典型的な実施形態、及び対応する通電された眼用デバイス１５０（図１Ｂ）を例示して、量子ドットベースの分光法の動作をサポートする場合がある通電された生物医学的装置構造の例を示す。メディアインサート１００は、視力矯正を提供する機能があってもなくてもよいオプティカルゾーン１２０を含み得る。眼用デバイスの通電された機能が視力に関連しない場合は、メディアインサートのオプティカルゾーン１２０は、材料がなくてもよい。いくつかの典型的な実施形態では、媒体インサートは、通電素子１１０（電源）及び電子部品１０５（例えば分光計）が組み込まれた基板１１５を含む、オプティカルゾーン１２０以外の部分を含んでいても良い。通電素子１１０を、それ自体の基板１１１を有していても良い回路素子であって、基板１１１の上に相互接続特徴部１２５を配置しても良い、回路素子に接続しても良い。回路（集積回路の形態であっても良い）を、基板１１１とその相互接続特徴部１２５とに電気的及び物理的に接続しても良い。通電素子１１０は、その独自の相互接続特徴部を、要素を結合するために有していても良く、これは相互接続１１４の領域の下に示されている場合がある。
【００４２】
いくつかの典型的な実施形態では、電源又は通電素子１１０（例えば電池）及び負荷、例えば電子部品１０５（例えば分光計）を、基板１１５に取り付けても良い。導電性トレース（相互接続特徴部１２５及び１３０と言う）によって、電子部品１０５と通電素子１１０とを電気的に相互接続しても良い。媒体インサート１００を完全にカプセル化して、通電素子１１０、相互接続特徴部１２５、及び電子部品１０５、例えば分光計を保護及び収容しても良い。いくつかの例示的な実施形態では、封入材料は、例えば、水などの特定の物質がメディアインサートに浸入することを防止し、周囲の気体又は通電素子内部の反応副生成物などの特定の物質がメディアインサートに浸透するか又はメディアインサートから逃げることを可能とするように半透過性のものとすることができる。
【００４３】
いくつかの例示的な実施形態では、図１Ｂに示すように、媒体インサート１００を眼用デバイス１５０（ポリマー生体適合性材料を含んでいても良い）内に含めても良い。眼用デバイス１５０は、剛性の中央部分、柔らかいスカートの設計を含み得、中央の剛性の光学素子がメディアインサート１００を含む。幾つかの具体的な実施形態において、媒体インサート１００は、大気及び角膜表面とそれぞれ前面及び後面において直接接触してもよく、あるいは、媒体インサート１００は眼用デバイス１５０内に封入されてもよい。眼用デバイス１５０又はレンズの周辺部１５５は、ソフトなスカート材料（例えば、ヒドロゲル材料など）であっても良い。媒体インサート１００及び眼用デバイス１５０の基礎構造によって、量子ドットベースの分析要素を用いた流体試料処理を伴う多数の実施形態に対する環境が与えられる一方で、内部構成要素をインサートを囲む生物医学的環境から隔離しても良い。
【００４４】
検体分析用の蛍光に基づくプローブ素子
蛍光に基づく分析法を用いて、様々なタイプの検体を検出し、分析することができる。これらの手法のサブセットは、検体自体からの直接の蛍光発光を含み得る。より汎用的な技術は、検体分子に結合して、そのように結合する際に蛍光サインを変える構成成分を有する蛍光プローブに関する。例えば、フォルスター共鳴エネルギー移動（ＦＲＥＴ）において、プローブは、相互作用するタンパク質に化学的に付着し得る２つのフルオロフォアの組み合わせを用いて構成される。フルオロフォアの互いからの距離は、そこから発する蛍光信号の効率に影響を及ぼす可能性がある。
【００４５】
一方のフルオロフォアが励起放射信号を吸収しても良く、その励起を他方のフルオロフォアにおける電子状態に共鳴移動させることができる。結合した、相互作用するタンパク質への検体の結合は幾何学を乱し、フルオロフォアの対からの蛍光発光における変化を引き起こし得る。結合部位は、相互作用するタンパク質に遺伝学的にプログラムすることができ、例えば、グルコースに反応する結合部位をプログラムすることができる。場合によっては、得られる部位は、所望の試料の間質液中の他の構成成分に対する反応が低いか又は反応しないことがある。
【００４６】
ＦＲＥＴプローブへの検体の結合は、グルコース濃度に反応する蛍光信号をもたらし得る。いくつかの典型的な実施形態では、ＦＲＥＴベースのプローブはわずか１０μＭ濃度のグルコースに反応する場合があり、最大で数１００マイクロモルの濃度に反応する場合がある。様々なＦＲＥＴプローブを遺伝学的に設計及び形成し得る。結果として得られるプローブを、ユーザの間質液の分析を支援する場合がある構造に構成しても良い。いくつかの例示的な実施形態では、プローブは、間質液及びそれらの成分に対して透過性である材料のマトリックスの内部に配置することができ、例えば、ＦＲＥＴプローブは、ヒドロゲル構造体に組み立てることができる。いくつかの例示的な実施形態では、これらのヒドロゲルプローブは、それらが眼の上に装着されたときに涙液中に浸漬されるヒドロゲル封入内に存在し得るようなやり方で、眼用コンタクトレンズのヒドロゲルに基づく処理工程中に含めることができる。他の例示的な実施形態では、プローブは、鞏膜のすぐ上の眼組織に挿入され得る。蛍光発光検体反応性のプローブを含むヒドロゲルマトリックスは、検体を含有する体液と接触している様々な場所に配置され得る。
【００４７】
提供した例では、蛍光プローブは、鞏膜の近くの眼領域の間質液と接触し得る。これらの場合、プローブが侵襲的に埋め込まれているところで、検出器は、眼用レンズから、又は眼の近くに保持されている携帯デバイスなどの眼の外部の場所から、蛍光プローブ上に放射信号の入射を提供し得る。
【００４８】
他の例示的な実施形態では、プローブは、眼用レンズの内部に同様に埋め込まれている蛍光検出デバイスに近接して、眼用レンズの内部に埋め込まれてもよい。いくつかの例示的な実施形態では、ヒドロゲルのスカートは、蛍光検出器を有する眼用インサート、並びにＦＲＥＴに基づく検体プローブの両方を封入し得る。
【００４９】
量子ドット分光法
分光装置が小さければ、ユーザの種々の検体の濃度を測定及び制御することができる生物医学的装置の形成に大いに役立つ場合がある。例えば、グルコースの測定を、患者の物質の変動を制御するために、また様々な種類の薬剤を用いて処理した後に用いても良い。現在のマイクロ分光器デザインは大抵、干渉フィルタ及び干渉オプティクスを用いて、光を吸収する特定の物質を含む混合物のスペクトル応答を測定する。いくつかの例では、分光計を、量子ドットからなるアレイを形成することによって形成しても良い。量子ドットアレイに基づく分光計によって、光スペクトルの測定を波長多重化原理に基づいて行なっても良い。波長多重化原理が遂行されるのは、複数のスペクトル帯を、１つのフィルタ素子及び１つの検出器素子を用いて符号化及び検出をそれぞれ同時に行なうときである場合がある。アレイフォーマットによって、異なるエンコーディングを伴う異なるフィルタを用いてプロセスを効率的に何度も繰り返すことが可能になって、目標スペクトルのコンピュータ再構成を可能にする十分な情報が得られる場合がある。光検出器（例えば、ＣＣＤカメラにおいて見られるもの）のアレイを考慮して一例を示すことができる。感光装置のアレイは、ＣＣＤアレイ内のそれぞれの特定の検出器素子に達する光の量を定量化するのに有用な場合がある。広帯域分光計では、複数（しばしば何百も）の量子ドットベースのフィルタ素子が配置されて、各フィルタによって光が特定のスペクトル領域から１つ又は数個のＣＣＤ要素まで進むことができるようになっている。何百ものこのようなフィルタからなるアレイが配置されて、試料を通過した照明光がＱＤフィルタのアレイを通ってＱＤフィルタ用の個々のＣＣＤ要素セットまで進み得るようになっている。スペクトル符号化データを同時に収集することによって、試料の迅速な分析が可能になる場合がある。
【００５０】
狭帯域スペクトル分析例を、狭帯域を囲むより少ない数のＱＤフィルタを用いることによって形成しても良い。図２において、２つのフィルタの組み合わせによってスペクトル帯がどのように観察され得るかについての説明を示す。また、何百ものフィルタからなるアレイを、図２のコンセプトを何度も繰り返したものと同様のコンセプトとして想定しても良いことも明瞭であり得る。
【００５１】
図２において、第１のＱＤフィルタ２１０は、関連するスペクトル透過応答（透過として例示及び図示されている）を有していても良い。第２のＱＤフィルタ２２０は、付随するスペクトル透過が、フィルタ内に含まれる量子ドットの異なる性質に関連してシフトしていても良く、例えば、ＱＤの直径は２２０のＱＤフィルタにおける方が大きくても良い。すべての波長（白色光）の光の平面発光の差異曲線は、フィルタ２２０を横断する光及びフィルタ２１０を横断する光に由来する吸収の差によってもたらされる場合がある。こうして、これら２つのフィルタを通して照射する効果は、差異曲線が、図示した帯２３０におけるスペクトル応答を示すであろうということである。検体が分光計の光路内に導入されたときに、検体の吸収帯がＵＶ／可視スペクトルにあって、可能性として赤外部にある場合には、結果として、そのスペクトル帯における光透過率が、スペクトル２４０に示すように変更されることになる。２３０から２４０への差異によって、２つの量子ドットフィルタによって規定される領域において検体に対する透過スペクトル２５０が得られる。したがって、狭いスペクトル応答を少数のフィルタによって得ても良い。いくつかの例では、同じスペクトル領域の異なるフィルタタイプによる重複する有効範囲を用いて、スペクトル結果の信号対雑音特性を向上させても良い。
【００５２】
ＱＤに基づく吸収フィルタは、その表面に消光分子を有するＱＤを含んでいても良い。これらの分子は、ＱＤが適切な周波数範囲のエネルギーを吸収した後で、ＱＤの発光を停止する場合がある。より一般的には、ＱＤフィルタを、半径がバルク励起子ボーア半径よりも小さいナノ結晶から形成しても良く、その結果、電子電荷の量子閉じ込めが得られる。結晶のサイズはナノ結晶の制約されたエネルギー状態に関係しており、一般的に結晶サイズを小さくすると閉じ込めが強くなる効果がある。このように閉じ込めが強くなると量子ドットにおける電子状態が影響を受けて、有効バンドギャップが大きくなり、その結果、光吸収及び蛍光発光の両方について青色波長にシフトする。幅広い量子ドットアレイに対して規定された多くのスペクトル限定供給源であって、購入又は製造用に利用できる場合があり、生物医学的装置内に組み込まれてフィルタとして機能し得るものが存在している。例えばＱＤのサイズ、形状、及び組成を変えるなどしてわずかに変更されたＱＤを配置することによって、吸収スペクトルを深紫外線から中赤外線までの範囲の波長に渡って連続的かつ微細に調整することができる場合がある。ＱＤはまた、非常に微細なパターンで印刷することができる。
【００５３】
電気及びコンピューティングシステムに関する略図
次に、図３を参照して、本開示のいくつかの態様を実施するために用いても良いプロセッサの概略図を例示する。コントローラ３００は１又は複数のプロセッサ３１０を含んでいても良い。プロセッサ３１０は、通信装置３２０に結合された１又は複数のプロセッサ構成部品を含んでいても良い。いくつかの実施形態では、コントローラ３００を用いて、エネルギーを、装置内に配置されたエネルギー源に送信しても良い。
【００５４】
プロセッサ３１０を、エネルギーを通信チャネルを介して伝達するように構成された通信装置３２０に結合しても良い。通信装置３２０を用いて、例えば、媒体インサート内の構成部品と電子的に通信しても良い。例えば、１つ又は２つ以上のコントローラ装置又はプログラミング／インターフェースデバイスコンポーネントと通信するために、通信デバイス３２０を使用してもよい。
【００５５】
プロセッサ３１０は、記憶デバイス３３０とも通信する。記憶デバイス３３０は、磁気記憶デバイス、光学式記憶デバイス、並びに／又はランダムアクセスメモリ（ＲＡＭ）デバイス及びリードオンリーメモリ（ＲＯＭ）デバイス等の半導体記憶デバイスを含む、任意の適切な情報記憶デバイスを備えてもよい。
【００５６】
記憶デバイス３３０は、プロセッサ３１０を制御するためのプログラム３４０を保存してもよい。プロセッサ３１０は、ソフトウェアプログラム３４０の指示を実行し、それによって本発明にしたがって動作する。例えば、プロセッサ３１０は、媒体インサートの配置（装置のアクティブな目標ゾーン）を記述する情報を受信しても良い。記憶デバイス３３０はまた、他の所定の生体関連データを１又は複数のデータベース３５０及び３６０に記憶しても良い。データベースは、例えば、網膜血管化に関係付けられる心臓リズム又は異常状態による変化を示す所定の網膜ゾーン、標準測定閾値、測定データ、及びシステムに対する特定の制御シーケンス、媒体インサートとの間でのエネルギーのフロー、通信プロトコルなどを含んでも良い。データベースにはまた、装置内に存在する場合がある生体ベースのモニタリングシステムを制御するためのパラメータ及び制御アルゴリズム、並びにモニタリングシステムの動作に起因する可能性があるデータ及び／又はフィードバックが含まれていても良い。いくつかの実施形態では、そのデータは最終的に外部受信無線デバイスとの間で伝達され得る。
【００５７】
本開示の態様によるいくつかの実施形態では、単一及び／又は複数の別個の電子デバイスが別個のチップとして含まれていても良い。他の実施形態では、通電された電子的要素が媒体インサート内に、積層型集積部品の形態で含まれていても良い。次に、図４を参照して、量子ドット分光計システム４１０を実施する積層型ダイ集積部品の例示的な断面図の概略図を示す。量子ドット分光計は、例えば、グルコースモニタ、網膜血管化モニタ、視覚的走査モニタ、又はユーザについての分光学情報を与えるのに有用な任意の他のタイプのシステムであっても良い。詳細には、媒体インサートは、異なるタイプの多数の層であって、それらが占める環境と一致する輪郭にカプセル化されている層を含んでいても良い。いくつかの実施形態では、積層型集積部品層を有するこれらの媒体インサートは、媒体インサートの全体形状とすることができる。代替的に、場合によっては、媒体インサートは、全体形状内の体積の一部のみを占有しても良い。
【００５８】
図４に示すように、通電を提供するために薄膜電池４３０が使用され得る。いくつかの実施形態では、これらの薄膜電池４３０は、互いに積層されていても良い１又は複数の層を含んでいても良い。層内には複数の部品があって相互接続されている。電池４３０は、例示の目的で薄膜電池として示されており、本明細書における実施形態（積層型及び非積層型の両方の実施形態における動作を含む）と整合する多数の他の通電素子が存在する場合がある。非限定的な代替例として、複数の空洞部を有する空洞部ベースの積層形態電池が、図示した薄膜電池と同等又は同様に機能しても良い。
【００５９】
いくつかの実施形態においては、互いに積層された２つの層の間に、追加的な相互接続が存在し得る。最新の技術では、これらの相互接続を形成する多くの方法があり得る。しかし、示したように、相互接続を、層間のハンダボール相互接続によって形成しても良い。いくつかの実施形態では、これらの接続のみが必要であっても良い。しかし、別の場合では、ハンダボールは、例えば層を貫通するビアを有する構成部品と同様に、他の相互接続要素と接触しても良い。
【００６０】
積層型集積部品媒体インサートの他の層では、層４２５が、相互接続層内の種々の構成部品のうちの２つ又は３つ以上についての相互接続に専用であっても良い。相互接続層４２５は、信号を様々なコンポーネントから他のコンポーネントへと通すことができる、ビア及び経路を含み得る。例えば、相互接続層４２５は、技術層４１５に存在し得る電力管理ユニット４２０への様々な電池要素接続を提供し得る。電力管理ユニット４２０は、電圧源に制御された特性４４０を与えるための専用の回路構成を有していても良い。技術層４１５内の他の構成部品としては、例えば、送受信装置４４５、制御コンポーネント４５０などを挙げることができる。加えて、相互接続層４２５は、技術層４１５内の構成部品同士並びに技術層４１５の外側の構成部品同士の間の接続を形成するように機能しても良い。このような構成部品は、例えば集積受動デバイス４５５内に存在する場合がある。相互接続層４２５のような、専用相互接続層の存在により支持され得る、電気信号の経路を定めるための方法が多数存在し得る。
【００６１】
いくつかの実施形態では、技術層４１５は、他の層の構成要素と同様、これらの機能がメディアインサートに含まれ得る技術オプションの多様性を表すように複数の層として含まれ得る。いくつかの実施形態においては、これらの層のうちの１つが、ＣＭＯＳ、ＢｉＣＭＯＳ、バイポーラ、又はメモリベースの技術を含んでよく、一方他の層が、異なる技術を含んでいてよい。代替的に、２つの層は同じ全体的ファミリー内の異なる技術ファミリーを表していても良い。例えば、ある層は、０．５ミクロンＣＭＯＳ技術を用いて形成された電子的要素を含んでいても良く、別の層は、２０ナノメートルＣＭＯＳ技術を用いて形成された要素を含んでいても良い。様々な種類の電子技術の他の多くの組み合わせは、本明細書に記載されている当該技術分野内で適合することは明らかであろう。
【００６２】
いくつかの実施形態では、メディアインサートは、インサートの外の構成要素への電気相互接続のための場所を含むことができる。しかしながら、他の実施例では、メディアインサートは、無線方式による外部構成要素への相互接続部を含むこともある。そのような場合、アンテナ層４３５のアンテナの使用は、無線通信の例示的な方法を提供し得る。多くの場合、このようなアンテナ層４３５は、例えば、メディアインサート内で、積層型集積コンポーネントデバイスの頂部又は底部に位置付けることができる。
【００６３】
本明細書で説明する実施形態のいくつかにおいて、通電素子、例えば電池４３０を、積層それら自体の少なくとも１つの中に要素として含めても良い。電池要素４３０が、積層集積コンポーネント層の外部に位置する他の実施形態が可能であることも同様に留意し得る。実施形態のまた更なる多様性は、別個のバッテリ又は他の通電コンポーネントは、メディアインサートの内部に存在してもよく、あるいはこれらの別個の通電コンポーネントは、メディアインサートの外部に位置付けられてもよいという事実からもたらされる場合がある。これらの例では、機能性は、積層型集積部品を含めることに関して表現される場合があり、機能要素を生物医学的装置内に、積層部品を伴わない方法で組み込んでも良く、それでも本明細書における実施形態に関係する機能を実施することができることが明瞭であり得る。
【００６４】
量子ドット分光計システム４１０の構成部品も、積層型集積部品アーキテクチャに含まれていても良い。いくつかの実施形態では、量子ドット分光計システム４１０の構成部品を層の一部として取り付けても良い。他の実施形態では、量子ドット分光計システム４１０全体が、他の積層型集積部品と同様に成形された構成部品を含んでいても良い。いくつかの代替案例では、構成部品は積層せずに、眼用デバイス又は他の生物医学的装置の周辺領域に配置しても良く、その場合、構成部品の全般的な機能的相互作用は同等に機能し得るが、回路全体を通じた信号及び電力の経路は異なっていても良い。
【００６５】
量子ドット分光計システム４１０を生物医学的装置内に構成するとき、サイズが不可欠の要因となる場合がある。量子ドット発光体を、発光ダイオードを形成するときと同様の方法で作っても良い。材料層によって量子ドットを囲んで、量子ドットを有する発光ダイオードを形成しても良い。有機層が、量子ドット層内への電子ドナー及び正孔ドナーとして働いても良い。非限定的な例では、ＱＤは電子輸送層と正孔輸送層との間に挟まれていても良い。電子輸送層と正孔輸送層とに接続された電極に電位を印加すると、ＱＤが励起されて、ＱＤの波長帯特性におけるフォトルミネッセンスが生じる。電子輸送層及び正孔輸送層の例には、トリス−（８−ヒドロキシキノリン）アルミニウム；バソクプロイン；４，４’−Ｎ，Ｎ’−ジカルバゾリルビフェニル；ポリ（２−（６−シアノ−６’−メチルヘプチルオキシ）−１、４−フェニレン）；ポリ［（９，９−ジヘキシルフルオレニル−２，７−ジイル）−コ−（１，４−｛ベンゾ−［２，１’，３］チアジアゾール｝）］；ポリ［２−メトキシ−５−（２−エチルヘキシルオキシ）−１，４−フェニレンビニレン］；４，４−ビス［Ｎ−（１−ナフィル）−Ｎ−フェニルアミノ］ビフェニル；２−（４−ビフェニリル）−５−（４−ｔｅｒｔブチルフェニル）−１，３，４オキサジアゾール；ポリ（３，４−エチレンジオキシチオフェン）；ポリ（９，９’−ジオクチルフルオレン−コ−Ｎ−（４−ブチルフェニル）ジフェニルアミン；パーフルオロ−シクロブタン；ポリ（フェニレンビニレン）；３−（４−ビフェニリル）−４−フェニル−５−ｔｅｒｔブチルフェニル−１，２，４−トリアゾール；ポリ［（９，９−ジオクチルフルオレニル−２，７−ジイル）−コ−（４−４’−（Ｎ−（４−ｓｅｃブチルフェニル））ジフェニルアミン）］；１，３，５−トリス（Ｎ−フェニルベンゾイミダゾール−２−イル）−ベンゼン；及びＮ，Ｎ’−ジフェニル−Ｎ，Ｎ’−ビス（３−メチルフェニル）−（１，１’−ビフェニル）−４，４’−ジアミンが、非限定的な例として含まれていても良い。
【００６６】
電流（例えば電力管理ユニット４２０からのもの）によって励起されるとすぐに、量子ドット層は、量子ドット分光計システム４１０から所定の設定波長の光を発光しても良い。放出光は外部環境と又は環境内の特定の試料と相互作用しても良く、試料はある特定の波長の放出光を吸収しても良い。量子ドット分光計は次に、残りの光（試料を透過した）を、量子ドット分光計システム４１０内の量子ドット検出器（１つの典型的な実施形態に関して図１１Ａを参照する）において受光しても良い。
【００６７】
同様に、ミリメートル又はナノメートルサイズの量子ドット検出器を量子ドット分光計システム４１０内に実装しても良い（同様に図１１Ａの１１２０を参照）。現在の量子ドット検出器は、電荷結合素子（ＣＣＤ）に依拠している場合がある。しかし、ＣＣＤは現時点では、ミリメートル又はナノメートルサイズの量子ドット分光計に要求されるサイズスケールを提供してはいない。むしろ、より小さいフォトダイオードアレイを用いて要求サイズを実現しても良い。フォトダイオードは、光をエネルギーに変換する半導体デバイスである。ミリメートル又はナノメートルサイズのフォトダイオードを、フォトリソグラフィ手段により構成しても良い。
【００６８】
バイオマーカー／分析化学
バイオマーカー、又は生物学的マーカーは一般的に、何らかの生物学的状態又は状況の測定可能な標識を指す。また用語は、時おり、存在が生物の存在を示す物質を指すために用いられる。更に、生命体は、固有の化学物質（例えば、ＤＮＡ）を環境内に、特定の場所におけるその存在の証拠として発することが知られている。バイオマーカーを測定及び評価して、正常な生物学的過程、発病過程、又は治療的介入に対する薬理的応答を試験することが多い。全体として、これらのバイオマーカーによって、疾患の予防及び治療並びに健康及びウェルネスの維持にとって重要な膨大な量の情報を明らかにすることができる。
【００６９】
バイオマーカーを分析するように構成された生物医学的装置を用いて、人の正常な身体機能を迅速及び正確に明らかにしても良く、また人が健康的な生活様式を維持しているか否か又は病気若しくは疾患を回避するために修正が必要であり得るか否かを評価しても良い。生物医学的装置を、タンパク質、バクテリア、ウィルス、温度変化、ｐＨ変化、代謝産物、電解質、並びに診断医学及び分析化学において用いられる他のこのような検体を読み込んで分析するように構成しても良い。
【００７０】
量子ドット分光計を備えた眼用挿入装置及び他の生物医学的装置
図５を参照すると、典型的な量子ドット（ＱＤ）分光計システムを形成しても良い構成部品を含んでいる眼用インサート５００が示されている。図の眼用インサートは、内部の境界５３５及び外部の境界５２０を有する代表的な環状形で示されている。通電素子、例えば電池電源５３０、制御回路５１０、及び相互接続特徴部５６０に加えて、広帯域ＱＤ分光計システム５５０が存在しても良い。広帯域ＱＤ分光計システム５５０は、ある例示的な実施形態では、フラップ５４０上に位置していても良い。フラップ５４０は、インサート５００に接続されてもよく、又は一体式の、インサート５００自体のモノリシックな延長部分であってもよい。ＱＤ検出器を含む眼用デバイスが装着されたときに、フラップ５４０によって広帯域ＱＤ分光計システム５５０が適切に位置付けられても良い。フラップ５４０によって、広帯域ＱＤ分光計システム５５０が、光学ゾーンから離れているユーザの目の部分と重なり合うことができても良い。広帯域ＱＤ分光計システム５５０は、流体試料中の検体を、その存在又はその濃度の点で決定することができても良い。
【００７１】
広帯域ＱＤ分光計の場合、検体試料を、異なるＱＤフィルタのアレイを通過しても良い励起光源にさらしても良い。フィルタのアレイを伴うこの光源を、分析システムの本体内に配置しても良い。いくつかの例示的な実施形態では、光源は、発光ダイオード（ＬＥＤ）と同様のソリッドステート装置を含んでいても良い。ＱＤフィルタリングされた光源を試料を通して照射しても良く、またいくつかの組織層上で反射させて検出器アレイに戻しても良い。
【００７２】
相互接続特徴部５６０の電子制御バスが信号を光源に提供し、検出器から信号を返還することができる。通電される電子部品によって信号及び電力の態様が提供されても良い。図５の例示的な実施形態は、電子回路５１０に対するバッテリ電源５３０を示す。他の例示的な実施形態では、高周波転送又は光電転送のようなワイヤレス方式を介して、エネルギーの連結により電子回路に通電を提供し得る。
【００７３】
検出方法−マイクロ流体システム
マイクロ流体システムを用いて、試料を外部環境から生物医学的装置内に引き入れて、試料の分析を、インサート片によって規定される内部領域内でより制御された方法で行なっても良い。次に、図６Ａを参照して、例示的なマルチピースの環形状インサート６００の平面図を示す。図示されているように、例示的なマルチピースの環形状インサート６００は、材料を欠いている中央部の光学ゾーンの周囲にある材料のリングであってよい。また、環形状インサート６００は、外縁部６２０及び内側輪環状縁部６３０によって画定され得る。外縁部６２０と内側輪状縁部６３０との間には、通電素子６４０、様々なタイプの相互接続特徴部６４５、及び／又は電子回路要素６５０が含まれ得る。
【００７４】
次に、図６Ｂを参照して、図６Ａの例示的なマルチピースの環形状インサート６００の第１の拡大された部分断面図６９０を示す。断面図６９０は、環形状インサート６００を、前側インサート部品６９１と後側インサート部品６９２とを組み合わせたものとして示している。図示されているように、いくつかの実施形態においては、前側インサート部品６９１と後側インサート部品６９２とは接合され、シールされていてよい。異なる実施形態においては、他の構造的特色及び手段が、両部品を接合するために実装され得る。封入された場所の中には、相互接続素子に接続された集積回路素子６９３もまた示され得る。
【００７５】
次に、図６Ｃを参照して、図６Ａの典型的なマルチピースの環形状インサート６００の第２の拡大された部分断面図６９５を示す。詳細には、他のセクション／実施形態において、断面図６９５に示すように、異なるタイプの構造が見られる場合がある。図示するように、環形状インサート６００の内部にある部位が外部環境に対して開かれ得るように形成された間隙又は孔６９６が存在しても良いように観察される場合がある。この開口部に接続し、かつそれ自体が環形状インサート６００内に封止され得る多くの構成部品６９８が存在し得る。したがって、環形状インサート６００内に配置された構成部品６９８が、その外部環境内の流体及び／又は気体に制御可能に接することができるこの能力は、いくつかの実施形態では、ＱＤ分光計要素を眼用デバイス内に組み込むことを可能にすることができる。
【００７６】
次に図７を参照して、マイクロ流体分析システム７００のセクションの平面図を例示的なポンピングメカニズム７６０とともに示すとともに、サンプリング領域及び制御部品を示す。図示するように、いくつかの実施形態では、制御回路７４０をマイクロ流体分析システムの構成部品に相互接続７２０を通して電気的に接続しても良い。孔（不図示）用の制御素子７５０が含まれていてよいが、それこの制御素子７５０は、マイクロ流体分析システム７００を、インサートの外部の流体（不図示）に接続するために有用であり得る。異なる設計を有する孔の例示的な態様が、以下のセクションに見られる場合がある。しかし、孔によって、流体試料がインサート環境の外側からポンプ素子７６０へ送られることが可能になっても良い。
【００７７】
いくつかの実施形態では、ポンプ素子７６０は、ポンプ素子７６０を係合することが可能であっても良い起動又は駆動部品７３０を有していても良い。１つの例においては、ポンプ素子７６０は、可撓性がありかつ折りたたみ可能な膜であって、その膜に圧力をかけることにより作動し得る膜を含み得る。膜に対する圧力印加を駆動するためには、多くの方法が存在し得る。例えば、流体が空洞部７３１に充填され、空洞部７３１をポンプ素子７６０に接続している管７３５を通じて流れる場合がある。したがって、空洞部７３１は、その内部に含まれる流体に圧力をかけ得るような特徴を含み得る。例えば、圧電部品が用いられて、電圧をかけると体積を膨張させて、収容されている流体に圧力をかけるようになっている場合がある。他の実施形態においては、熱圧縮性材料が、電気エネルギーの加熱素子への印加によって制御され得る温度の変化に反応。更に他の実施形態においては、誘電体上のエレクトロウェッティング（ＥＷＯＤ）部品が、電位が印可されると、空洞部７３１内の表面の湿潤特性を変化させることによって、流体に圧力を印加し得る。ポンプ素子７６０そのものにも直接係合し得るポンプ機構を駆動するための、他の手段もまた存在し得る。また更なる多様性が、流体の流れそのものに影響を及ぼすために、機械的ポンプ手段を使用するのではなくＥＷＯＤ部品を使用することから引き出され得る。
【００７８】
ポンプ素子７６０は流体を、チャネル７７０を通って、マイクロ流体分析システム７００の分析チャンバ７０５へと流れさせる場合がある。このようなチャンバ７０５内の構成部品の更なる詳細について以下のセクションで説明するが、簡単に言えば、流体は分析チャンバ７０５を通って流れて、構成部品の一部であり得る電極７１０に対して影響を生じさせる場合がある。
【００７９】
ここで図８を参照すると、流体試料がマイクロ流体分析用部品を通って流されている、例示的なマイクロ流体分析システム８００の部分的断面の上面図が図示されている。環状システムの性質のために、曲線システムにおいて変化する、例えば、電極の正確な形状及びチャンバの断面の正確な形状を含む、多くの詳細な点があり得る一方で、部品は曲線状に展開されるのが見られる場合がある。しかしながら、他の実施形態においては、眼の環境にフィットするのを可能にするような寸法を有している直線的分析システムが、形成され得る。更に、追加的実施形態においては、分析チャンバに沿ったシステムの性質に関わらず、その上にチャンバが存在する基板全体が湾曲し得るが、それにより基板は眼の概ね球状の表面上に配置されるのが可能となる。分析チャンバの三次元的性質の詳細が、システムの性能に関連するモデルの主要因となり得る。しかし、例示を目的として、この説明ではこのようなニュアンスを示すが、直線状のマイクロ流体分析システム８００の特徴部を曲げることによって例示的な実施形態を例示する。マイクロ流体分析システム８００の部分に示すように、流体試料を受け取って輸送するためのマイクロチャネル８５０を示す。これらの流体試料は、例えば、前述のポンプシステム（例えば図７の７６０）により、外部にある場所から送出され得る。例えば、流体試料は、マイクロ流体分析システム８００を収容しているコンタクトレンズを囲む眼液から採取され得る。分析物センサ８７０は、例えばマイクロチャネルに沿って見出され得る。この分析物センサ８７０は、電気化学的分析ステップ、測光分析ステップ、及び他の分析ステップのうちの１つ又は２つ以上を、流体試料に対して実行することが可能であってよい。いくつかの例では、ＱＤ分光分析をこれらの領域内で行なっても良い。例示的な実施形態においては、分析ステップは、グルコース濃度を、１つ又は２つ以上の成分を用いる蛍光センサ類型に基づいて、測光検知することに関するものである。他の例においては、センサは、分析物センサ８７０の部分と流体試料とのグルコース酸化酵素相互作用の反応酸性物の存在を検知し得る。センサ素子８７０を制御電子機器に接続する、多くの電気的相互接続配線８２０が存在し得る。
【００８０】
流体は、マイクロチャネル８５０に、ポンプチャネル８４０から流入し得る。流体がマイクロチャネル８５０内に流入すると、特定の領域における他の流体を動かしても良いし、又は初期使用時にチャネル内の周囲ガスを動かしても良い。流体が流れたら、電極８６０及び８６１を含むプレセンサマイクロチャネル部分、並びに電極８６２及び８６３を含むポストセンサ部分によって流れを検知しても良い。いくつかの実施形態では、電極、例えば８６０及び８６１間のインピーダンスの測定を用いて、材料の流れを検知しても良い。他の実施形態においては、連続する電極８６２及び８６３の抵抗は、マイクロチャネル８５０内に流体が存在することにより、又はマイクロチャネル８５０内に存在する、異なる特性の２種類の流体間の潮目が存在することにより、変化し得る。流体８８０は、マイクロチャネル８９０の空の領域から、マイクロチャンネルを通って流れて、採取され得る。あるいは、符号８９０にあるマイクロチャネル部は、例えば電解質の濃度が典型的な涙液とは異なり、それゆえ導電性が異なる、別の流体の溶液を代表し得る。
【００８１】
概して、本発明の実施形態における位置電極８６０〜８６３間のインピーダンス又はオーミック抵抗の測定を、それらの間に電圧を印加して、結果として得られる電流を測定することによって行なっても良い。定電圧又は交流電圧を位置電極８６０〜８６３間に印加して、結果として得られる直流（ＤＣ）又は交流（ＡＣ）をそれぞれ測定する。結果として得られるＤＣ又はＡＣ電流を次に、インピーダンス又はオーミック抵抗を計算するために用いても良い。更に、当業者であれば分かるように、インピーダンスの測定は、抵抗降下（すなわち、抵抗［Ｒ］、オーム又は電圧／電流）の測定及びキャパシタンス（すなわち、キャパシタンス、ファラッド又はクーロン／ボルト）の測定の両方を伴う場合がある。実際には、インピーダンスの測定は、例えば、交流を位置電極８６０〜８６３に印加して、結果として得られる電流を測定することによって行なっても良い。交流電流の異なる周波数値で、測定されたインピーダンスを決定する際に、抵抗効果又は容量効果がより重要である。純粋な抵抗成分は、より低い周波数値において重要であり得るが、純粋な容量成分は、より高い周波数値において重要であり得る。抵抗成分と容量成分とを区別するため、印加された交流電流と、結果生成し測定された電流との間の位相差が判定され得る。位相のずれがない場合には、純粋な抵抗成分がより重要である。電流が電圧に対して遅れていると位相のずれが示す場合には、容量成分が重要である。それゆえ、印加される交流電流の周波数と位置電極の構成とによって、抵抗又は抵抗と容量との組み合わせを測定することのいずれかが有利となり得る。
【００８２】
再び図８の具体例を参照すると、インピーダンス測定は、例えば、交流電圧を第１の位置電極８３０と最終の位置電極接続部８１０との間に印加して、結果として得られる交流を測定することによって行なっても良い。８６０、８６１、８６２及び８６３を含む電極の鎖をキャパシタの一部とすることが、（マイクロチャネル８５０内で、以後の位置電極の間及び位置電極をマイクロチャネル８５０内の流体との直接接触から隔てていても良い任意の層の間にある任意の物質［例えば、空気又は液体試料］とともに）可能であるので、測定した電流を用いてインピーダンスを計算しても良い。マイクロチャネル８５０、８９０内の電極間に、液体試料が存在するかしないかは、測定された電流及びインピーダンスに影響を及ぼす。第１及び第２の位置電極８６０〜８６３間に印加する交流電圧の周波数及び振幅を事前に設定して、第１及び第２の位置電極８６０〜８６３間に液体試料が存在することを、測定した電流の著しい増加によって検出することができる。
【００８３】
インピーダンス又は抵抗の測定に関して、印加電圧の大きさは、例えば、眼の涙液試料及び炭素ベース又は銀ベースのインク位置電極の状況に対して約１０ｍＶ〜約２ボルトの範囲とすることができる。印加される電圧の範囲の下限及び上限値は、液体試料の電気分解又は電気化学的分解の開始によって決まる。交流電圧を用いる例においては、交流電圧が、例えば、印加の結果、１種類又は２種類以上の電気化学的反応によって起こる液体試料の特性の純変化が、無視できるレベルに留まるような周波数で印加され得る。そのような周波数の範囲は、例えば、電圧の波形が０Ｖの周りで対称となる（すなわち、交流電圧のＲＭＳ値が概ねゼロである）場合に、約１０Ｈｚ〜約１００ｋＨｚであり得る。
【００８４】
図示したように、検体センサ８７０及び位置電極８６０〜８６３はそれぞれ、マイクロチャネル８５０と作動的に連通することができる。なお、本発明の実施形態で用いる位置電極８６０〜８６３は、当業者に既知の任意の好適な導電性材料で形成することができることに留意されたい。好適な導電性材料としては、例えば、従来、分析電極材料として用いられている導電性材料、詳細には、フレキシブル回路、フォトリソグラフィ製造技術、スクリーン印刷技術、及びフレキソ印刷技術で用いるのに適していると知られている導電性材料が挙げられる。好適な導電性材料は、例えば、炭素、貴金属類（例えば、金、プラチナ、及びパラジウム）、貴金属の合金類、導電性の電位形成金属酸化物及び金属塩が含まれる。位置電極は、例えば、市販の導電性銀インクＥｌｅｃｔｒｏｄａｇ  ４１８  ＳＳのような、導電性銀インクから形成され得る。
【００８５】
次に、図９を参照して、廃棄物又は流体保持容器９３０を有する例示的なマイクロ流体分析システム構成部品９００の平面断面図を示す。例示的な実施形態では、システム内の流体の流量を測定するための電極９１０が、他の多くの電極（図９に示さず）の端部電極であっても良い。流体はマイクロチャネル９２０を通って流れ、更に、流体保持容器９３０へと流れても良い。流体保持容器は、例えば、より大量の流体の分析をその内部で行なうために用いても良い。いくつかの実施形態では、孔９４０は、流体保持容器９３０（廃棄物貯蔵要素９３０として用いても良い）をインサートの外部に配置された領域に接続するための孔制御要素９４５を含んでいても良い。加えて、いくつかの実施形態においては、孔制御素子９４５による接続は、マイクロ流体部品が流体で満たされるにつれて気圧を等しくするために有用であり得る。他の実施形態においては、孔９４０及び孔制御素子９４５は、眼用デバイスから流体を放出するのに有用であり得る。孔９４０はまた、マイクロ流体分析システムの端部を眼環境内であってそのシステムの外部領域に接続するのに有用な場合があり、この接続により、眼用デバイスを取り外すことなく連続モニタリングを可能にすることができる。他の実施形態では、孔９４０及び孔制御要素９４５は、ストーレッジ位置（例えば、流体保持容器９３０）においてマイクロ流体分析システムを通る流量を制御するために有用な場合がある。例えば、ストーレッジ内にあって、マイクロ流体分析システムは、溶液をシステムを通して流すことにより、洗われ又はリフレッシュされ、かついくつかの実施形態においては、更に較正プロトコルにかけられ得る。これらの機能の制御は、外部の制御システムと連通し得る、レンズ内の集積回路部品により実行され得る。
【００８６】
ラボオンチップ部品を伴う通電された眼用デバイス
次に、図１０を参照して、ラボオンチップ部品１０１０を用いたマイクロ流体分析システムに対する例示的なポンピングメカニズム１０００の平面断面図を示す。ラボオンチップ部品１０１０は、既に論じたマイクロ流体分析システムの実施形態と、多くの態様を共有し得る。しかしながら、同様にいくつかの実施形態においては、ラボオンチップ部品１０１０内で、小さな液滴が、ポンプ１０６０の作動を介してではなく、ＥＷＯＤ部品を用いた液滴制御によって、動き回ることができるようになっていてよい。化学的処理を実行するため、液滴は、ラボオンチップ部品１０１０の素子内で組み合わされ得る。例えば、いくつかの実施形態では、検体としてのグルコースの分析を行なっても良い多くの分析技術を行なっても良い。この分析用の技術は、例えば、既に説明したような電気化学的若しくは測光分析、又はラボオンチップ部品１０１０内に当初は貯留され得る化学物質を混合することに関連し得る、その他の技術が含まれ得る。量子ドットベースの分光法技術をラボオンチップ部品内で又はそれを通して行なっても良い。いくつかの例では、ＱＤベースの色素を、生物医学的装置の環境から得られる試料と混合した液滴内に配置しても良い。結果として得られる目標検体との相互作用によって分光学信号が得られても良く、この信号を用いて、例えば、検体の濃度を計算しても良い。
【００８７】
既に説明した通電素子（不図示）、相互接続配線１０４０、及びシール面のような様々な部品が、本例のメディアインサートピース内に存在し得る。更に、種々の構成部品（例えば、ラボオンチップ部品１０１０）を制御することが可能な電子回路１０２０を実装しても良い。孔１０５０及び孔制御システム１０５５が、眼用デバイス環境からの流体試料の採取を制御し得る。ポンプアクチュエータ１０３０が、膜に基づいたポンプのように、機械的性質であり得るポンプ１０６０を作動させ得る。流体試料の液滴が、本開示内で説明される電極１０１６のような電極の使用を介して、試料の体積及び流量を測定するために、マイクロチャネル１０１５に送出され得る。液滴は、チャネル１０１１を通じて、ラボオンチップ部品１０１０に提供され得るが、そこで液滴は更に処理され得る。ラボオンチップ部品１０１０は、試料へのポンプによる送出動作を用いて、自らの中での流量を制御し得るが、又は、他の実施形態においては、ラボオンチップ部品１０１０は、独力で、ラボオンチップ部品１０１０に対して提供された試料の流量を制御し得るようになっている。
【００８８】
更なる実施形態では、ラボオンチップ部品１０１０は、その環境内の流体を、外部ポンピングシステムを必要とすることなく検知可能であっても良い。しかし、孔１０５０は、ラボオンチップ部品の環境内への外部流体の流れに対する制御を与えるためには、なお有用であり得る。その後、ラボオンチップ部品１０１０は、例えば、流体試料を引き寄せ動かし得る、誘電体上のエレクトロウェッティング又は電気泳動機を介した制御により、独力で、導入された試料を採取し得る。
【００８９】
ラボオンチップ部品１０１０は、例えば、眼表面の三次元形状と一致する形状に変形することを可能にするための、非常に薄型のラボオンチップ可撓性部品を含む、本明細書と両立し得る設計を含み得る。いくつかの実施形態においては、ラボオンチップ部品１０１０の形状及び厚さは、眼用インサートデバイス内に平面的な形態で、ラボオンチップ部品１０１０が含まれ得るようにするものである。
【００９０】
量子ドット分光計を備えた生物医学的装置
図１１Ａに、生物医学的装置１１００内の例示的なＱＤ分光計システムを示す。図１１Ａにおける説明では、図１０に示したマイクロ流体システムを用いても良いし、又は代替的に、試料流体がチャネル１１０２に受動的に入る、試料を集めるためのより受動的アプローチを用いても良い。チャネル１１０２は、いくつかの例では生物医学的装置の内部であっても良く、他の例では例示した通りであっても良い、すなわち、生物医学的装置はくぼみ型空洞部を有する外部領域を囲んでいても良い。生物医学的装置がそれ自体の外側に流体のチャネルを形成するいくつかの例では、装置はまた、試薬又は色素を放出してチャネル領域内の外部流体と相互作用するための孔１１６０を含んでいても良い。非限定的な意味で、受動的なサンプリングを、生物医学的装置が飲み込み可能なピルであっても良い例を参照して理解しても良い。ピルは、薬剤を放出する領域１１５０、並びに検体（検体は例えば薬剤であっても良い）が存在する場合に周囲の流体、例えば胃液を分析する領域を含んでいても良い。ピルは、薬剤に隣接してコントローラ１１７０領域を含んでいても良く、その場合、薬剤の放出の制御を生物医学的ピル装置の一部によって行なうことができる。分析領域は、生物医学的ピル装置内に凹部チャネルを含んでいても良い。凹部チャネルによって、外部流体がチャネル内にまたチャネルから外に受動的に流れることができる。検体が、例えば胃液内で、チャネル内に拡散するか又は流れると、図１１Ａに示すように、検体は分析領域間に配置されることになる。
【００９１】
次に図１１Ｂを参照して、検体が拡散するかそうでなければ量子ドット分光計チャネル（チャネル１１０２と言うものとする）に入るとすぐに、試料１１３０が量子ドット（ＱＤ）発光体１１１０の発光部分内に進んでも良い。ＱＤ発光体１１１０は、ＱＤ発光体１１１０に光の出力スペクトルをチャネル１１０２にわたって放出するように命令する情報を、ＱＤ発光体コントローラ１１１２から受信しても良い。
【００９２】
いくつかの例では、ＱＤ発光体は、量子ドットの発光特性に基づいて作動しても良い。他の例では、ＱＤ発光体は、量子ドットの吸収特性に基づいて作動しても良い。量子ドットの発光特性を用いる例では、これらの放出は光刺激を受けても良いし又は電気的な刺激を受けても良い。光刺激のいくつかの例では、スミレ色〜紫外線における高エネルギー光が、光源によって放出され、量子ドットによって吸収されても良い。ＱＤ内での励起が、狭帯域の特性エネルギーの光子を放出することによって緩和する場合がある。前述したように、ＱＤを、対象とする選択周波数において発光が生じるように設計しても良い。同様の実施例の組では、ＱＤを、電子及び正孔をＱＤに供与しても良い電気的に活性な層の間に上述のように挟まれた層内に形成しても良い。これらの励起は、選択周波数の特性光子を同様に放出しても良い。ＱＤ発光体１１１０を、ナノスコピック結晶（量子ドットとして機能する）を含めることによって形成しても良い。結晶の、それらが発光体要素上に含まれる前にそれらを形成するために用いられるその成長及び材料は、制御されても良い。
【００９３】
代替的な実施例の組として、ＱＤが吸収モードで作動する場合には、１組のフィルタの組み合わせを用いて、領域内のスペクトル応答を決定しても良い。このメカニズムについては、図２を参照して以前のセクションで説明している。ＱＤ吸収要素を組み合わせたものを分析で用いて、分析に対するスペクトル領域を選択しても良い。
【００９４】
これらのタイプの発光例のいずれかにおいて、光周波数のスペクトルをＱＤ発光体１１１０によって発光しても良く、試料１１３０に通過させても良い。試料内の化学成分がこれらの周波数を吸収することが可能である場合には、試料１１３０は発光周波数の一部からの光を吸収することができる。吸収されない残りの周波数は検出器素子まで進み続けることができ、そこでＱＤ受信器１１２０が光子を吸収して電気信号に変換しても良い。これらの電気信号をデジタル情報に、ＱＤ検出器センサ１１２２によって変換しても良い。いくつかの例では、センサ１１２２をＱＤ受信器１１２０のそれぞれに接続しても良いし、又は他の例では、電気信号を検知するための集中型電気回路に送っても良い。デジタルデータを、ＱＤ波長吸光度値に対する所定値に基づいて試料１１３０を分析するときに用いても良い。
【００９５】
図１１Ｃでは、ＱＤシステムを、空間的に配置されたスペクトル分析要素の前に試料が送られる方法で示している。これは、例えばマイクロ流体進行に対して説明した方法で行なっても良い。他の例では、試料１１３０は、生物医学的装置の材料を用いて外部流体を封入して孔又は空洞部を形成する生物医学的装置の領域の内部に拡散する検体を含んでいても良く、試料はこの孔又は空洞部内に受動的に流れるか又は拡散して分析領域に達しても良く、分析領域では、生物医学的装置内の発光体からの光を、生物医学的装置の外部へ、そして再び生物医学的装置内の検出器に送る。図１１Ｂ及び１１Ｃでは、このような移動を、分析領域に沿って新しい場所１１３１まで移動した試料１１３０の場所の間の違いとして示している。他の例では、ＱＤを統合して、単一のマルチドット場所（励起手段と検知手段とが各機能に対して単一の要素に統合されている）で作動するようにしても良い。生物医学的装置の中には（例えば眼用デバイス）、１００を超える量子ドット装置を含む分光計に対してスペース制限がある場合があるが、他の生物医学的装置は何百もの量子ドット装置を有する場合があり、その結果、混合物を含む検体の完全な分光学的キャラクタリゼーションが可能になる。
【００９６】
ＱＤ分析システムはまた、マイクロ流体装置とともに機能して、検体を含む試料を色素を含む試薬と反応させても良い。色素分子は特定の検体と反応しても良い。前述したように、このような結合の例はＦＲＥＴ標識であっても良い。色素分子は、吸収帯が、非常に強い紫外線及び可視スペクトルであっても良い。これは吸光係数が高いと言っても良い。したがって、少量の特定の検体を、スペクトル周波数において著しく吸収する分子に選択的に結合しても良い。これは、ＱＤ分析システムによって焦点が当てられても良い。色素複合体の増強された信号によって、検体濃度をより正確に定量化することが可能になる場合がある。
【００９７】
いくつかの例では、マイクロ流体処理システムによって、検体試料を、目標検体に結合する色素を含む試薬と混合しても良い。マイクロ流体処理システムは、２つの試料を一緒に混合することを、色素と検体との間で十分に複合体が形成されることを確実にするであろう時間、行なっても良い。その後、いくつかの例では、マイクロ流体処理システムは、混合液体試料を、任意の非複合色素分子に結合しても良い表面を含む場所に移動させても良い。マイクロ流体システムが次に、試料混合物を分析領域内に更に移動させたときに、残りの色素分子は試料中の検体の濃度に関連付け可能である。混合物を、量子ドット発光光源又は量子ドット吸収フィルタのいずれかの前に、説明した方法で移動させても良い。
【００９８】
あるタイプの蛍光染料を、量子ドットと消光分子とで複合体を形成することによって形成しても良い。複合消光分子を伴う量子ドットの試薬混合物を、生物医学的装置内の例えばマイクロ流体セル内の検体を含む試料内に導入しても良い。消光分子には、領域として、検体に選択的に結合しても良く、その際、消光分子を量子ドットから分離しても良い領域が含まれていても良い。非複合量子ドットが次に、励起放射の存在下で蛍光を発しても良い。いくつかの例では、量子ドットフィルタの組み合わせを用いて、非複合量子ドットの波長特性における増強発光の存在を検出する能力を形成しても良い。他の例では、非複合量子ドットの増強発光を検出する他の方法を用いても良い。複合量子ドットの溶液を生物医学的装置のマイクロ流体処理セル内に格納しても良く、生物医学的装置内に導入された試料中にユーザからの検体が存在することを検出するために用いても良い。
【００９９】
図１２を参照して、色素として機能する複合量子ドットのコンセプトの例示的な説明図を示す。量子ドット１２１０は、例示的な材料、例えばインジウムリン／硫化亜鉛、硫化銅インジウム／硫化亜鉛、セレン化カドミウム、硫化カドミウム、硫化鉛、セレン化鉛、ヒ化インジウム、及びインジウムリンなどを含んでいても良い。他の例には、シリコン及び炭素のナノ粒子が含まれていても良い。量子ドットのタイプ特性の歪んだバンド構造を形成する場合がある任意の材料を、いくつかの例で用いても良い。量子ドットコアを、量子ドットからその外部環境へのインターフェースとなるコアシェルコーティングによって囲んでも良い。いくつかの例では、消光分子をドットの表面に結合することを可能にする場合がある生体適合性脂質コーティングを設けても良い。消光分子１２１１は、量子ドット表面に結合しても良く、また量子ドットからの電子エネルギー転送を促進するように作動しても良い。その結果、蛍光発光を伴うことなく量子ドットエネルギーの脱励起が生じても良い。量子ドットの溶液を、検体を含む試料１２２１と混合しても良い１２２０。混合する間、検体が消光分子と複合体を形成して１２３０、検体／消光分子複合体１２３１を形成しても良い。検体が消光分子と複合体を形成することによって消光分子が量子ドットから分離１２４０しても良く、その結果、自由検体／消光分子１２４１及び非複合量子ドットが生じる。次に、量子ドットを光子によって、量子ドットの固有の蛍光エネルギーとは異なるエネルギーにおいて励起しても良く、非消光量子ドットが次に蛍光を発する。試料中の検体の濃度は、非消光量子ドットから発する蛍光信号の関数であっても良い。マイクロ流体分析システムは光源を含んでいても良い。光源は、例えば量子ドット発光ダイオードであっても良いし、又は蛍光信号とは異なるエネルギーを有する他の光源であっても良い。検出器を、スペクトル分析領域を横断するすべての光を検出するように構成しても良い。代替的に、量子ドット吸光度フィルタ又は他の光フィルタを用いて量子ドット蛍光信号のエネルギー帯を選択的に送っても良い。
【０１００】
図１３を参照して、量子ドット構成の生物医学的装置内の検体分析に対するフロー図の説明図を示す。ステップ１３００において、ユーザが、量子ドット装置又は試薬、及び試料輸送手段を含む生物医学的装置を得ても良い。生物医学的装置は、流体試料をユーザから得て、それを量子ドット発光装置又は他の光源から発する光の経路内に送ることができても良い。光源は、量子ドット発光ダイオード又は消光量子ドットフィルタの組（分析用に選択されたスペクトル領域を分離するように構成されている）を含んでいても良い。他の光源、例えば発光ダイオード及びレーザを用いても良い。いくつかの例では、エンドユーザによる使用を目的として、仲介者が生物医学的装置を得ても良い。ステップ１３１０において、生物医学的装置をユーザの生体液と接触する場所に置いても良い。場所としては、ユーザからの流体流出（例えば、非限定的な例において、涙液、血液、唾液、及び老廃物）と隣接する領域を挙げることができる。又は、場所としては、皮下の場所並びにユーザの体腔及び静脈系内の場所又はこれらと接触する場所を挙げることができる。ステップ１３２０において、生物医学的装置を用いてユーザの生体液をサンプリングする。ステップ１３３０において、生物医学的装置は、自律的な方法又は外部デバイス若しくは通信信号の指示の下で、較正プロトコルを作動させても良い。較正は、生物医学的装置の試料分析セクションを検体がない状態で試験して、最終的な試料分析信号に関連する計算で用いても良い基準制御信号を可能にしても良い。ステップ１３４０において、いくつかの例では、ユーザの生体液の試料のアリコートを、色素化合物を含む試薬と混合しても良い。混合は、受動的な拡散ベースの相互作用によって行なっても良いし、又は代替的に、本明細書で前述したようにマイクロ流体処理システムを用いるなどして能動的に制御しても良い。色素化合物は有機染料であっても良いし、又はいくつかの例では、量子ドットベースの色素であっても良い。色素によってスペクトル特性（例えば蛍光発光又はスペクトル吸光度）が変化することが、色素が試料中の検体と結合したときに起きても良い。ステップ１３５０では、いくつかの例において、混合物をその後に処理して未反応色素を取り除いても良く、特に、色素が検体に結合しても色素のスペクトル特性が変わらない例において行なっても良い。試料を未結合色素を不活性にする試薬と混合しても良いし、又は代替的に試料を、未結合色素と結合して不動化するか又は析出しても良い表面と接触させた状態で送っても良い。ステップ１３６０において、いくつかの例では、試料混合物を反応領域から分析領域まで移動させても良い。他の例では、反応が起きる同じ場所を用いてスペクトル分析を行なっても良い。ステップ１３７０において、試料に光源を照射しても良い。光源は、例えば、前述したような量子ドットを含む供給源などの多くの代表的なタイプに由来するものであっても良い。放射は試料を通って進んでも良く、試料から出てくる光を、スペクトル領域において、生物医学的装置内の検出器システムによって検出しても良い。検出した流出信号は、電気信号に変換しても良く、またデジタルデータ値に変換しても良く、これを電気信号ストリームとして伝えても良い。１３８０では、いくつかの例において、生物医学的装置はオンボード処理装置及びソフトウェアアルゴリズム（試料中の検体の濃度の推定の計算を可能にしても良い）を含んでいても良い。他の例では、生データ信号、検体を伴わない検出器（較正）信号、及び検体を伴う検出器信号を、生物医学的装置内で更なる信号処理を行なわずに送信しても良い。ステップ１３９０において、生データ信号を、例えば無線通信を介して、外部送受信装置に伝達しても良い。いくつかの例では、ステップ１３９０において、検体の濃度の計算推定値を伝達しても良い。更に他の例では、分析システムデータ以外に送信しても良い他の多くのセンサデータがあっても良く、例えば、非限定的な観点において、生物医学的装置の領域において検知される温度のセンサ測定値であっても良い。
【０１０１】
ＱＤ分光計システムを複数の異なる生物医学的装置、例えば、眼用デバイス、生物医学的ピル、衛生用製品、パッチ、並びに検体を検出及び分析するように身体上に又は身体に近接して置かれる他の同様の生物医学的製品などにおいて用いても良い。ＱＤ分光計システムから得られる情報を、例えば、非限定的な例として、糖尿病に対するグルコースのリアルタイム読み取り値などの生体分析で用いても良い。得た情報を、三次デバイス（例えばスマートフォン）に伝達しても良い。これについては図４に関連して開示している。
【０１０２】
生物検体のモニタリング方法
次に、図１４を参照して、本開示の態様により眼用レンズを装着するユーザの検体レベルをモニタするために用いても良い典型的な方法ステップを例示する。ステップ１４０１において、閾値をソフトウェアプログラム内にプログラムしても良いた。本発明の態様によれば、閾値としては、例えば、眼液中のグルコースバイオマーカーの濃度に対する許容レベルを挙げても良い。異なる状態、例えばうつ病、高血圧などをモニタするために用いた他のバイオマーカーの使用法も、本開示の態様の本発明の範囲内である。加えて、予めプログラムするレベルは、眼液試料標的が、例えば、涙液であるか又は間質液であるかに応じて異なっても良い。プログラムは、眼用デバイスのメディアインサートの一部をなすプロセッサと、メディアインサートのプロセッサと通信する外部のデバイスとのうちの一方又は両方を用いて、記憶され、実行され得る。外部装置としては、スマートフォンデバイス、ＰＣ、専用の生物医学的装置ユーザインターフェースなどを挙げても良い。また外部装置は、眼液試料特性をモニタするのに有用な実行可能コードを含むように構成しても良い。眼液特性を、眼用デバイスに含まれる１又は複数のセンサによって測定しても良い。センサには、電気化学的センサ及び／又は測光センサが含まれ得る。典型的な実施形態では、センサ分析ステップは、ＱＤ分光分析に基づくグルコース濃度の測光検知に関しても良い。他の例においては、センサは、分析物センサの部分と流体試料とのグルコース酸化酵素相互作用の反応生成物の存在を検知し得る。
【０１０３】
ステップ１４０５において、マイクロ流体システムを含む眼用デバイスが、眼の眼球前面の一部分に接触するように配置され、ユーザにより装着され得る。いくつかの実施形態では、眼用デバイスは、通電されたコンタクトレンズの形態であっても良く、ステップはコンタクトレンズが眼の表面に配置されたときに達成されても良い。他の実施形態では、生物医学的装置は、例えば、眼内レンズ、涙点プラグ、生物医学的ピル、又は任意の他の同様の生物医学的装置の形態であっても良く、それでもやはり本開示で説明したＱＤ分光計システムの態様を含んでいる。眼用デバイスは明細書を通じて単数形で説明されているが、当業者には、２つの眼用デバイス（例えばコンタクトレンズ）が、それぞれの眼に１つずつ配置されて、一緒に機能して本開示の機能性態様を提供し得ることが理解されよう。
【０１０４】
ステップ１４１０において、バイオマーカーの濃度変化を１又は複数のセンサを用いてモニタしても良い。バイオマーカーのモニタリングは、所定の周波数／帯域幅で行なっても良いし、又はユーザインターフェース及び／若しくは眼用デバイス内の起動センサを通した要求に応じて行なっても良い。バイオマーカーには、グルコースレベル、うつ病、血圧などに関係付けられるものを含めることができる。ステップ１４２０において、眼用デバイスのプロセッサは、眼液の試料から測定した特性／状況を記録し得る。いくつかの実施形態においては、眼用デバイスのプロセッサは、そのような記録を保存し、及び／又は眼用デバイスと連通している１つ又は２つ以上のデバイスに送る場合がある。ステップ１４１５において、記録された値が、眼用レンズと連通しているユーザインターフェースに保存され、分析されてもよく、及び／又はステップ１４２５において、分析及び記録は眼用デバイス内で行われ得る。
【０１０５】
ステップ１４３０において、眼用デバイス及びユーザインターフェースの一方又は両方が、ユーザ（及び／又は施術者）に測定濃度について警告を発しても良い。警告は、測定したレベルが、眼用デバイスによってプログラムされ、受信され、及び／又は計算された所定の閾値から外れているときに行われるようにプログラムされても良い。また、いくつかの実施形態においては、データと警告とが以下のステップのうちの１つ又は２つ以上を実行するために分析され得る：ａ）測定の頻度を、一日のうちのある時間帯にしたがって変化させる、ｂ）濃度レベルの測定における変化の個人的パターンを識別する、及びｃ）測定された濃度における変化にしたがって、測定頻度を変化させる。ステップ１４３５において、一日のうちのある時間帯によって、測定の頻度を変化させ得る。例えば、眼用デバイスが睡眠中に目の中に留まるものであった場合、１０ｐｍ及び６ａｍの間の測定回数を減らすか又は測定を止めることができる。同様に、昼食及び夕食の最中には、食料をユーザが消費することで引き起こされる変化を検出するために、頻度を増やしてもよい。ステップ１４４０において、濃度レベルの変化におけるパターンが、システムによって識別され得る。識別されたパターンを用いて、システムはユーザに、その原因を警告し、かつ／又は、ステップ１４４５において、システムは、識別された変化によって頻度を変更し、重大と特定された状況に対して、システムがより注意を払うようにする。重大な状況には、グルコースのレベルにかなりの増加又は減少を引き起こすような出来事が含まれ得る。そのような出来事には、例えば、休日のデート、エクササイズ、場所、一日のうちの時間帯、薬剤の消費等が含まれ得る。
【０１０６】
いくつかの実施形態においては、ステップ１４５０において、元々のプログラムされた値が、定期的又はリアルタイムで、識別されたパターン／状況にしたがってカスタマイズされてもよい。この能力により、誤った警告をなくし、重大な状況においては感度を増すことで、システムがその有効性を増大させることができる。有効性は、システムへのユーザの参加を促し、それによって、眼用デバイスの利益が最大化され、その結果として、安全な監視システムが提供される。ステップ１４５５において、ユーザに関連したデータには、例えば、識別されたパターン、測定値、及び／又は優先度が含まれ、それらのデータは、そのユーザの医療履歴の一部となり得る。医療履歴は、データを暗号化し、かつ／又は履歴へのアクセスを制限することによって、安全に保存され得る。
【０１０７】
ここで図１５を参照すると、本開示の態様による眼用レンズを装着しているユーザの、グルコースのレベルを処理するのに用いられ得る例示的な方法のステップが図示されている。ステップ１５０１において、ＱＤ分光計分析システムを含む眼用デバイスを、眼液と接触させて配置する。いくつかの実施形態では、眼用デバイスは、通電されたコンタクトレンズの形態であっても良く、ステップはコンタクトレンズが眼の表面に配置されたときに達成されても良い。他の実施形態では、眼用デバイスは、例えば、眼内レンズ又は涙点プラグの形態であっても良く、それでもやはり本開示で説明したＱＤ分光計システムの態様を含んでいる。
【０１０８】
ステップ１５０５において、眼液中のバイオマーカーの変化が監視される。バイオマーカー変化をモニタする方法には、例えば、図１４に例示したステップが含まれていても良い。ステップ１５１０において、測定された変化が、眼用デバイスに直接又は間接に連通している薬剤分注デバイスに、リアルタイムで伝達され得る。眼液中の監視されているバイオマーカーの濃度における変化は、ユーザの血流中の濃度変化に関連した時間遅延を含み得るが、それが検出されると、ステップ１５１５において、薬剤分注デバイスが、濃度を正常なレベルに上下させることができる薬剤を投与することができる。例えば、グルコースのレベルは監視され、正常レベルを逸脱すると治療される。連続モニタリングによって、血糖レベルが抑制されていない状態を防止しても良い。このような血糖レベルであると、血液を重要な臓器（例えば、心臓、腎臓、目、及び神経）に供給する血管に損傷を与える場合がある。個人のグルコースレベルがその個人を危険にさらすレベルに達し得るのに個人は気分爽快である場合があるため、本開示の態様は、状態が早期発見された際に行動を起こすのに役に立つ場合がある。早期発見は、レベルを通常状態に戻し、かつ／又はユーザに認識させる場合があるだけでなく、更に、より劇的で永続的な結果、例えば、心臓発作又は脳卒中、腎不全、及び失明の発生を防止する場合がある。これらは、異常なグルコースレベルが未治療のままだと生じることが知られている。
【０１０９】
加えて、いくつかの実施形態では、薬剤投与装置がユーザに、そのインターフェースを通して又は眼用デバイスの構成部品を用いて、警報を送っても良い。例えば、眼用デバイスのいくつかの実施形態においては、メディアインサートが、１つ又は２つ以上のＬＥＤのような、信号をユーザに送ることができる光投影システムを含み得る。
【０１１０】
続いてステップ１５２０において、医薬品の効果と涙液に効果が反映されるのとの間の時間遅延により、システムが薬品を過剰投与するのを防ぐため、更なる投薬はいかなるものでも延期され得る。例えば、薬剤は、異常なレベルに対して効力を発揮するまで１０〜３０分を要する場合があり、その効果が出始めて、涙液中の濃度を等しくするためには、更に２０分かかり得る。その結果、状況と、時間遅延と、その後の薬剤の適切な投与と、を相互に関連させることができる、プログラムされたアルゴリズムが、安全に機能するようにシステム内にプログラムされ得る。ステップ１５２５において、測定された状況及びユーザへの投薬の一方又は両方に関連するデータは、治療及び／又はユーザの医療履歴の一部として、保存され、使用され得る。
【０１１１】
生物医学的装置内に分光分析用の量子ドットを含めることに関連する本方法及び装置に対するサンプル実施形態を例示するために、具体例について説明してきた。これらの実施例は、上記の例示のためであり、いかなる方法によっても特許請求の範囲を限定することを意図するものではない。したがって、本説明は、当業者には明らかであり得るすべての実施例を含むことを意図する。
【０１１２】
〔実施の態様〕
（１）  生物医学的装置であって、
第１及び第２の集電体、カソード、アノード、及び電解質を含む通電素子と、
量子ドット分光計であって、量子ドット発光体、光検出器、及び情報を前記量子ドット分光計からユーザに伝達する手段を含み、前記通電素子によって電源供給されている、量子ドット分光計と、
挿入装置であって、前記通電素子及び前記量子ドット分光計を収容し、前記通電素子を前記生物医学的装置が動作する生物医学的環境から隔離する、挿入装置と、を含む生物医学的装置。
（２）  マイクロ流体ポンプを更に含み、前記マイクロ流体ポンプが、流体の試料を、分析用に前記量子ドット分光計の方へ運ぶか又はこれから離して運ぶ働きをする、実施態様１に記載の生物医学的装置。
（３）  前記生物医学的装置は眼用デバイスである、実施態様１に記載の生物医学的装置。
（４）  前記生物医学的装置はコンタクトレンズである、実施態様１に記載の生物医学的装置。
（５）  前記生物医学的装置は電子ピルである、実施態様１に記載の生物医学的装置。
【０１１３】
（６）  検体を分析する方法であって、
量子ドット発光体を生物医学的装置上に製造することと、
光検出器を前記生物医学的装置上に製造することと、
前記量子ドット発光体及び前記光検出器を前記生物医学的装置内の集積回路コントローラに接続することであって、前記集積回路コントローラは前記量子ドット発光体及び前記光検出器の機能性を方向付けることができる、接続することと、
狭波長帯域を前記量子ドット発光体から発することと、
送信された光子を前記光検出器内に受信することと、
検体の吸光度を受信した光子の強度に基づいて分析することと、を含み、
前記生物医学的装置は、第１及び第２の集電体、カソード、アノード、及び電解質を含む通電素子を含み、
前記量子ドット発光体は前記通電素子によって電源供給される、方法。
（７）  検体の試料を量子ドット分光計チャネル内に、前記検体を分析する前にポンピングすることを更に含む、実施態様６に記載の方法。
（８）  前記生物医学的装置はコンタクトレンズである、実施態様６に記載の方法。
（９）  前記生物医学的装置は電子ピルである、実施態様６に記載の方法。
（１０）  生物医学的装置であって、
通電素子と、
外部カプセル化境界であって、前記境界の少なくとも一部はくぼみ型空洞部を形成し、前記空洞部の側壁は、選択されたスペクトル帯の光が通過することを可能にする、外部カプセル化境界と、
前記空洞部の前記側壁の一方の側を通して、前記空洞部の介在スペースを通して、前記空洞部の前記側壁の遠位側を通して、発光するように取り付けられた量子ドット発光体と、
前記外部カプセル化境界内の前記空洞部の前記遠位側上に取り付けられた光検出器と、
無線周波数送受信装置と、
アナログデジタル変換器であって、前記光検出器からの信号がデジタルデータ値に変換され、前記デジタルデータ値は前記生物医学的装置の外部に前記無線周波数送受信装置によって送信される、アナログデジタル変換器と、を含む生物医学的装置。
【０１１４】
（１１）  前記装置はコンタクトレンズである、実施態様１０に記載の生物医学的装置。
（１２）  前記装置は電子ピルである、実施態様１０に記載の生物医学的装置。
（１３）  前記電子ピルは、前記光検出器において受信された前記信号に基づいて薬剤を放出するように制御可能な放出メカニズムを含む、実施態様１２に記載の生物医学的装置。
（１４）  前記光検出器において受信された前記信号はデジタル信号に変換されて外部受信器に伝達され、前記外部受信器においてアルゴリズムが検体の濃度を計算して薬剤の放出のための時間値を決定する、実施態様１３に記載の生物医学的装置。
（１５）  前記電子ピルは、量子ドット色素を前記空洞部内に放出するように制御可能な放出メカニズムを含み、前記色素は検体分子と反応して、前記量子発光体が前記量子ドット色素を励起させて発光させることを可能にする、実施態様１２に記載の生物医学的装置。
【０１１５】
（１６）  生物医学的装置であって、
通電素子と、
外部カプセル化境界であって、前記境界の少なくとも一部は、流体試料が外部領域から前記生物医学的装置内に進むことを可能にする働きをする電気的に制御された孔を含む、外部カプセル化境界と、
前記流体試料を検体に特有の色素を含む試薬と混合する働きをするマイクロ流体処理チップと、
前記マイクロ流体処理チップの一部を通して発光するように取り付けられた量子ドット発光体と、
前記マイクロ流体処理チップの、前記量子ドット発光体から遠位側に取り付けられた光検出器であって、前記量子ドット発光体が発した光は、前記マイクロ流体処理チップの上面を通って、前記マイクロ流体処理チップの試料分析領域を通って、前記マイクロ流体処理チップの底面を通って、前記光検出器内に進む、光検出器と、
無線周波数送受信装置と、
アナログデジタル変換器であって、前記光検出器からの信号がデジタルデータ値に変換され、前記デジタルデータ値は前記生物医学的装置の外部に前記無線周波数送受信装置によって送信される、アナログデジタル変換器と、を含む生物医学的装置。
（１７）  前記装置はコンタクトレンズである、実施態様１６に記載の生物医学的装置。
（１８）  前記装置は電子ピルである、実施態様１６に記載の生物医学的装置。
（１９）  前記電子ピルは、前記光検出器において受信された前記信号に基づいて薬剤を放出するように制御可能な放出メカニズムを含む、実施態様１８に記載の生物医学的装置。
（２０）  前記電子ピルは、量子ドット色素を前記マイクロ流体処理チップ内に放出するように制御可能な放出メカニズムを含み、前記色素は検体分子と反応して、前記量子発光体が前記量子ドット色素を励起させて強度が前記検体分子の濃度に関連付けられた光を発することを可能にする、実施態様１８に記載の生物医学的装置。
【図１Ａ】
2017060767.tif 000003
【図１Ｂ】
2017060767.tif 000004
【図２】
2017060767.tif 000005
【図３】
2017060767.tif 000006
【図４】
2017060767.tif 000007
【図５】
2017060767.tif 000008
【図６Ａ】
2017060767.tif 000009
【図６Ｂ】
2017060767.tif 000010
【図６Ｃ】
2017060767.tif 000011
【図７】
2017060767.tif 000012
【図８】
2017060767.tif 000013
【図９】
2017060767.tif 000014
【図１０】
2017060767.tif 000015
【図１１Ａ】
2017060767.tif 000016
【図１１Ｂ】
2017060767.tif 000017
【図１１Ｃ】
2017060767.tif 000018
【図１２】
2017060767.tif 000019
【図１３】
2017060767.tif 000020
【図１４】
2017060767.tif 000021
【図１５】
2017060767.tif 000022
【外国語明細書】
2017060767000001.pdf